(57)【要約】【課題】蓄電池の電力を有効活用することを課題とする。【解決手段】携帯端末装置１００は、表示部１０１と、端末独自付加機能部１０２と、通信機能部１０３と、強照明機能部１０４と、弱照明機能部１０５と、蓄電部１０６と、電流センサ１０７と、電圧センサ１０８と、スイッチ制御部１０９と、電力変換スイッチ１１０とを有する。スイッチ制御部１０９は、電流センサ１０７から取得した電流値または電圧センサ１０８から取得した電圧値に基づいて、電力変換スイッチ１１０の切り替えを制御することにより、蓄電部１０６に蓄えられた電力の供給先を変更する。【選択図】図１
2013121228.tif 000002
【特許請求の範囲】
【請求項１】
携帯端末装置に搭載される電源システムであって、
蓄電部から供給される電力の電圧値を測定する電圧測定部と、
前記電力の電流値を測定する電流測定部と、
前記電力の供給先を切り替えるスイッチ部と、
前記電流測定部により測定された電流値または前記電圧測定部により測定された電圧値に基づいて前記スイッチ部の切り替えを制御するスイッチ制御部と
を有することを特徴とする電源システム。
【請求項２】
前記携帯電話端末は、通信機能部と、アプリケーション機能部と、強照明機能部とを有し、
前記スイッチ制御部は、前記通信機能部および前記アプリケーション機能部の起動中に前記電圧値が所定の閾値以下となった場合には、前記電力の供給先が前記強照明機能となるように前記スイッチ部を切り替えることを特徴とする請求項１に記載の電源システム。
【請求項３】
前記携帯電話端末は、前記強照明機能部よりも弱い照明を点灯する弱照明機能部をさらに有し、
前記スイッチ制御部は、前記電流測定部により測定された電流値に基づいて前記蓄電部が放電可能な残放電時間を算出し、前記強照明機能の起動中に前記残放電時間が所定の閾値以下となった場合には、前記蓄電部からの出力電流の大きさが所定の閾値よりも小さくなるように調整した上で、前記電力の供給先が前記弱照明機能となるように前記スイッチ部を切り替えることを特徴とする請求項２に記載の電源システム。
【請求項４】
前記スイッチ制御部は、前記電力の供給先が前記弱照明機能となるように前記スイッチ部を切り替えた後、前記電圧値が所定の閾値を上回っている間、前記弱照明機能による照明の照度を段階的に低下させ、前記電圧値が所定の閾値以下に到達した段階で、前記蓄電部に蓄積されている電力の容量をリセットすることを特徴とする請求項３に記載の電源システム。
【請求項５】
携帯端末装置であって、
通信機能部と、
アプリケーション機能部と、
強照明機能部と、
弱照明機能部と、
電力を蓄える蓄電部と、
蓄電部から供給される電力の電圧値を測定する電圧測定部と、
前記電力の電流値を測定する電流測定部と、
前記電力の供給先を、前記通信機能部、前記アプリケーション機能部、前記強照明機能部および前記弱照明機能部のいずれか一つ又は複数に切り替えるスイッチ部と、
前記電流測定部により測定された電流値または前記電圧測定部により測定された電圧値に基づいて前記スイッチ部の切り替えを制御するスイッチ制御部と
を有することを特徴とする携帯端末装置。
【発明の詳細な説明】
【技術分野】
【０００１】
本発明は、電源システムおよび携帯端末装置に関する。
【背景技術】
【０００２】
一般に、電池を電源とする端末機器は、電池残容量が減ると何らかの警告を発出し、電圧が確保できなくなると動作を終了するが、電池残容量が残り少ない場合であっても、消費電力の大小に関わらず、ユーザーの操作を第一優先とする。すなわち、電池を電源とする端末機器は、電圧を確保できている間は、ユーザーの操作に対応する機能が消費電力の大きいものであっても制限することは無いが、電池容量にその有用性は左右される。
【０００３】
なお、端末機器などに電源として利用されるリチウムイオン電池は、使用回数や使用温度、保存期間などの影響により、電池容量が劣化する。例えば、定電流時に充電の開始と停止を繰り返した場合の低周波の電池のインピーダンス特性と、電池容量の劣化との関係を明らかにすることで、電池容量の劣化度合いを測定する手法が提案されている（非特許文献１）。
【先行技術文献】
【非特許文献】
【０００４】
【非特許文献１】竹野和彦、金村聖志、「携帯電話用リチウムイオン電池の低周波インピーダンスと電池容量劣化特性」、電子情報通信学会技術研究報告、ＥＥ２００９−２９，１−５，２００９年１１月２０日
【発明の概要】
【発明が解決しようとする課題】
【０００５】
ところで、発電設備や送電設備などのインフラが十分に整備されていないために電力の供給が十分ではない地域では、日没後の明かりが無い時間帯になると、勉強ができない、経済活動を停止せざるを得ないといった状況も考えられる。このように、電力の供給が十分ではない地域では、電力の供給が十分である地域よりも地域住民の勉強時間や労働時間などの活動時間が短くなってしまうので、地域住民の教育水準の向上や地域経済の活性化を図ることが困難である。
【０００６】
ところで、電力の供給が十分ではない地域では、発電設備や送電設備などのインフラが十分に整備されていない一方で、携帯電話などの端末機器の普及率が高いことが知られており、特に若い世代・子供達の中で携帯電話を操作することが当然となりつつある。例えば、日没後の明かりが無い時間帯には、携帯電話のディスプレイなどから得られる光が身の回りにある唯一の光源である場合もあり得る。このため、電力の供給が十分ではない地域では、ユーザーの意思により選択された機能よりも、照明機能などを、蓄電池の電力の使用先として優先することが必要な場合もあり得る。
【０００７】
本発明は、上記に鑑みてなされたものであって、蓄電池の電力を有効活用することが可能な電源システムおよび携帯端末装置を提供することを目的とする。
【課題を解決するための手段】
【０００８】
上述した課題を解決し、目的を達成するために、本発明は、携帯端末装置に搭載される電源システムであって、蓄電部から供給される電力の電圧値を測定する電圧測定部と、前記電力の電流値を測定する電流測定部と、前記電力の供給先を切り替えるスイッチ部と、前記電流測定部により測定された電流値または前記電圧測定部により測定された電圧値に基づいて前記スイッチ部の切り替えを制御するスイッチ制御部とを有することを特徴とする。
【０００９】
また、本発明は、上記の発明において、前記携帯電話端末は、通信機能部と、アプリケーション機能部と、強照明機能部とを有し、前記スイッチ制御部は、前記通信機能部および前記アプリケーション機能部の起動中に前記電圧値が所定の閾値以下となった場合には、前記電力の供給先が前記強照明機能となるように前記スイッチ部を切り替えることを特徴とする。
【００１０】
また、本発明は、上記の発明において、前記携帯電話端末は、前記強照明機能部よりも弱い照明を点灯する弱照明機能部をさらに有し、前記スイッチ制御部は、前記電流測定部により測定された電流値に基づいて前記蓄電部が放電可能な残放電時間を算出し、前記強照明機能の起動中に前記残放電時間が所定の閾値以下となった場合には、前記蓄電部からの出力電流の大きさが所定の閾値よりも小さくなるように調整した上で、前記電力の供給先が前記弱照明機能となるように前記スイッチ部を切り替えることを特徴とする。
【００１１】
また、本発明は、携帯端末装置であって、通信機能部と、アプリケーション機能部と、強照明機能部と、弱照明機能部と、電力を蓄える蓄電部と、蓄電部から供給される電力の電圧値を測定する電圧測定部と、前記電力の電流値を測定する電流測定部と、前記電力の供給先を、前記通信機能部、前記アプリケーション機能部、前記強照明機能部および前記弱照明機能部のいずれか一つ又は複数に切り替えるスイッチ部と、前記電流測定部により測定された電流値または前記電圧測定部により測定された電圧値に基づいて前記スイッチ部の切り替えを制御するスイッチ制御部とを有することを特徴とする。
【発明の効果】
【００１２】
本発明によれば、蓄電池の電力を有効活用できる。
【図面の簡単な説明】
【００１３】
【図１】図１は、実施例１に係る携帯端末装置の構成を示す機能ブロック図である。
【図２】図２は、蓄電部からの出力電圧と利用可能機能との対応関係を示す図である。
【図３】図３は、各機能の起動に必要となる電圧値を示す図である。
【図４】図４は、弱照明機能部の起動中における蓄電部の出力電圧値と放電時間との関係を示す図である。
【図５】図５は、実施例１に係る携帯端末装置による処理の流れを示す図である。
【図６】図６は、実施例１に係る携帯端末装置のハードウェア構成の一例を示す図である。
【発明を実施するための形態】
【００１４】
以下に、図面を参照しつつ、本願に係る電源システムおよび携帯端末装置の実施例について詳細に説明する。
【実施例１】
【００１５】
［携帯端末装置の構成］
図１に、実施例１に係る携帯端末装置１００の機能構成を示す。図１は、実施例１に係る携帯端末装置の構成を示す機能ブロック図である。
【００１６】
なお、実施例１に係る携帯端末装置１００は、例えば、携帯電話、スマートフォン、ＰＨＳ（Personal  Handy-phone  System）やＰＤＡ（Personal  Digital  Assistant）などの装置のうち、通信機能や照明機能が搭載されているものに該当する。
【００１７】
図１に示すように、携帯端末装置１００は、表示部１０１と、端末独自付加機能部１０２と、通信機能部１０３と、強照明機能部１０４と、弱照明機能部１０５と、蓄電部１０６と、電流センサ１０７と、電圧センサ１０８と、スイッチ制御部１０９と、電力変換スイッチ１１０とを有する。
【００１８】
表示部１０１は、例えば、ディスプレイやモニタなどに該当し、強照明機能部１０４や弱照明機能部１０５をバックライトとして利用して各種情報を表示する。
【００１９】
端末独自付加機能部１０２、通信機能部１０３、強照明機能部１０４および弱照明機能部１０５は、蓄電部１０６に蓄えられた電力を消費することで、各自の機能に応じた動作を実行する。
【００２０】
端末独自付加機能部１０２は、ドキュメント系アプリケーションやグラフィック系アプリケーション、メディア系アプリケーションなど、携帯端末装置１００のユーザーが独自に端末にインストールしたアプリケーションによる動作を行う。
【００２１】
通信機能部１０３は、電子メールの送受信、フルブラウザによるウェブページの閲覧、赤外線通信などの近距離無線通信などを行う。
【００２２】
強照明機能部１０４は、ＬＥＤ（Light  Emitting  Diode）などにより所定の照度の光を点灯する。弱照明機能部１０５は、強照明機能部１０４によりも弱い照度の光を点灯し、例えば、１０ルクス程度の光を点灯する。
【００２３】
蓄電部１０６は、所定の充電器やＵＳＢ（Universal  Serial  Bus）などを介して、蓄電池に電力を蓄える。蓄電部１０６は、例えば、蓄電池としてリチウムイオン電池などを用いることができる。
【００２４】
電流センサ１０７は、蓄電部１０６から出力される電力の電流値を測定する。電流センサ１０７は、測定した電流値を後述するスイッチ制御部１０９に送る。
【００２５】
電圧センサ１０８は、蓄電部１０６から供給される電力の電圧値を測定する。電圧センサ１０８は、測定した電圧値を後述するスイッチ制御部１０９に送る。
【００２６】
スイッチ制御部１０９は、電流センサ１０７から取得した電流値または電圧センサ１０８から取得した電圧値に基づいて、後述する電力変換スイッチ１１０の切り替えを制御することにより、蓄電部１０６に蓄えられた電力の供給先を変更する。
【００２７】
具体的には、スイッチ制御部１０９は、例えば、蓄電部１０６に、充電後で蓄電容量一杯まで電力が蓄えられている場合には、端末独自付加機能部１０２、通信機能部１０３、強照明機能部１０４および弱照明機能部１０５の全てに電力を供給可能な状態に電力変換スイッチ１１０を制御する。そして、蓄電部１０６から適宜必要な電力の供給が介された後、スイッチ制御部１０９は、端末独自付加機能部１０２および通信機能部１０３の起動中に、電圧センサ１０８から取得した電圧値が所定の閾値以下となった場合には、蓄電部１０６に蓄えられた電力の供給先が強照明機能部１０４となるように、電力変換スイッチ１１０を切り替える。また、スイッチ制御部１０９は、強照明機能部１０４の起動中に、電流センサ１０７から取得した電流値が所定の閾値以下となった場合には、蓄電部１０６に蓄えられた電力の供給先が弱照明機能部１０５となるように、電力変換スイッチ１１０を切り替える。
【００２８】
図２に、蓄電部１０６からの出力電圧と、利用可能機能との対応関係を示す。また、図３に、各機能の起動に必要となる電圧値を示す。図２は、蓄電部からの出力電圧と利用可能機能との対応関係を示す図である。また、図３は、各機能の起動に必要となる電圧値を示す図である。
【００２９】
図２および図３に示すように、端末独自付加機能部１０２は出力電圧が３．３５ｖ（ボルト）以上で起動し、通信機能部１０３は出力電圧が３．３ｖ以上で起動する。また、図２および図３に示すように、強照明機能部１０４は出力電圧が３．２ｖ以上で起動し、弱照明機能部１０５は出力電圧が２．５ｖ以上で起動する。例えば、携帯電話端末１００は、起動させる機能に応じたモード１〜３の３つのモードで動作する。モード１は、端末独自付加機能部１０２および通信機能部１０３を起動させるモードであり、モード２は、強照明機能部１０４を起動させるモードであり、モード３は、弱照明機能部１０５を動作させるモードである。
【００３０】
スイッチ制御部１０９は、例えば、出力電圧が３．４ｖよりも大きい場合にはモード１で動作し、出力電圧が３．４ｖ以下となると、モード２で動作し、さらに出力電圧が低下するとモード３で動作する。このように、スイッチ制御部１０９は、蓄電部１０６の出力電圧の低下に応じて「モード１→モード２→モード３」の順にモードを遷移させることで、電力の供給先を「端末独自付加機能部１０２，通信機能部１０３」→「強照明機能部１０４」→「弱照明機能部１０５」の順に切り替える。
【００３１】
スイッチ制御部１０９は、次のように、電力の供給先を切り替える。すなわち、スイッチ制御部１０９は、端末独自付加機能部１０２および通信機能部１０３の起動中（モード１で稼動中）に、電圧センサ１０８から取得した電圧値が所定の閾値以下となった場合には、蓄電部１０６に蓄えられた電力の供給先が強照明機能部１０４となるように、電力変換スイッチ１１０を切り替える（モード１→モード２）。続いて、スイッチ制御部１０９は、強照明機能部１０４の起動中（モード２で稼働中）、蓄電部１０６が放電可能な残りの時間である残放電時間が所定の閾値以下である場合には、蓄電部１０６からの出力電流の大きさをある一定の大きさまで小さくなるように調整する。なお、スイッチ制御部１０９は、電流センサから取得した出力電流値に基づいて残放電時間を算出する。そして、スイッチ制御部１０９は、蓄電部１０６からの出力電流の大きさを調整後、蓄電部１０６に蓄えられた電力の供給先が弱照明機能部１０５となるように、電力変換スイッチ１１０を切り替える（モード２→モード３）。
【００３２】
なお、スイッチ制御部１０９は、蓄電部１０６に蓄えられた電力の供給先を強照明機能部１０４から弱照明機能部１０５に切り替える際に、電池に蓄積されている電力の残容量を加味することもできる。例えば、スイッチ制御部１０９は、残放電時間が所定の閾値以上であり、かつ電力の残容量が所定の閾値以下である場合に、蓄電部１０６に蓄えられた電力の供給先を強照明機能部１０４から弱照明機能部１０５に切り替える。あるいは、スイッチ制御部１０９は、残放電時間が所定の閾値以上であるか、または電力の残容量が所定の閾値以下である場合に、蓄電部１０６に蓄えられた電力の供給先を強照明機能部１０４から弱照明機能部１０５に切り替えるようにしてもよい。具体的には、スイッチ制御部１０９は、電流センサ１０７の電流値と電圧センサ１０８の電圧値との積に対して温度係数を乗算することにより、電池に蓄積されている電力の残容量を算出し、所定の閾値以下であるか否かを判定する。温度係数には、例えば、蓄電部１０６の蓄電池の製造元が公表している連続放電温度特性データを用いる。連続放電温度特性データが公表されていない場合には、温度係数を１とする。なお、スイッチ制御部１０９は、電池の残容量の算出結果が「０」となった場合、電圧センサ１０８の出力電圧値を取得する。そして、スイッチ制御部１０９は、出力電圧値が３．２ｖ以上である場合には、電池の残容量を５％とみなし、所定の閾値以下であるか否かを判定する。
【００３３】
図４に、弱照明機能部１０５の起動中における蓄電部１０６の出力電圧値と放電時間との関係を示す。図４は、弱照明機能部の起動中における蓄電部の出力電圧値と放電時間との関係を示す図である。
【００３４】
図４に示すように、スイッチ制御部１０９は、蓄電部１０６からの出力電圧値が、弱照明機能部１０５が起動可能である２．５ｖを、例えば、５時間程度確保するように、蓄電部１０６からの出力電流を調整する。なお、弱照明機能部１０５が起動可能な出力電圧を５時間確保する場合に限られるものではなく、確保したい時間に応じて、出力電流を定義調整することができる。
【００３５】
電力変換スイッチ１１０は、スイッチ制御部１０９による制御に従って、スイッチの切り替え動作を実行する。
【００３６】
［携帯端末装置による処理（実施例１）］
図５は、実施例１に係る携帯端末装置による処理の流れを示す図である。実施例１に係る携帯端末装置１００は、例えば、蓄電部１０６への電力充足後、以下に説明する図５の処理を実行する。なお、携帯端末装置１００は、電力充足後、ユーザーの操作入力が受け付けられるまでは待機状態であり、ユーザーの操作入力の受付後はモード１で動作し、以後、蓄電部１０６の蓄電電力の状況に応じて、モード２→モード３へとモードを切り替えて動作する。
【００３７】
図５に示すように、例えば、スイッチ制御部１０９は、電力変換スイッチを介して必要な電力を供給して（Ｓ１）、モード１での動作を開始する。スイッチ制御部１０９は、モード１では、電力の供給先に端末独自付加機能部１０２および通信機能部１０３が含まれるように電力変換スイッチ１１０を制御し、端末独自付加機能部１０２および通信機能部１０３が起動可能にする。つまり、モード１では、消費電力が大きくてもユーザーの操作を優先した動作が実行される。
【００３８】
そして、スイッチ制御部１０９は、モード１での動作中、蓄電部１０６の電池の電圧値を電力センサ１０８から逐次取得して、電圧値が所定の閾値Ｖ１以下であるか否かを判定する（Ｓ２）。閾値Ｖ１には、端末独自付加機能部１０２および通信機能部１０３が起動可能な下限電力よりもやや大きい電圧、例えば、３．４ｖが設定される。
【００３９】
判定の結果、蓄電部１０６の電池の電圧値が所定の閾値Ｖ１以下ではない場合には（Ｓ２、Ｎｏ）、スイッチ制御部１０９は、再び、電力センサ１０８からの電圧値を取得して、蓄電部１０６の電池の電圧値が所定の閾値Ｖ１以下となるまでＳ２の判定を繰り返す。つまり、蓄電部１０６の電池の電圧値が所定の閾値Ｖ１以下となるまでモード１での動作を継続する。
【００４０】
一方、判定の結果、蓄電部１０６の電池の電圧値が所定の閾値Ｖ１以下である場合には（Ｓ２、Ｙｅｓ）、スイッチ制御部１０９は、モード１からモード２に動作モードを変更蓄電部１０６に蓄えられた電力の供給先が強照明機能部１０４となるように電力変換スイッチ１１０を切り替える。そして、スイッチ制御部１０９は、モード２で動作中、蓄電部１０６の出力電流値を電流センサ１０７から取得し、取得した出力電流値に基づいて算出して、算出した残放電時間が所定の閾値Ｈ１以下であるか否かを判定する（Ｓ３）。閾値Ｈ１には、弱照明機能部１０５による照明の点灯を継続させたい時間、例えば、５時間が設定される。
【００４１】
判定の結果、残放電時間が所定の閾値Ｈ１以下ではない場合には（Ｓ３、Ｎｏ）、スイッチ制御部１０９は、出力電流値を電流センサ１０７から取得し、残放電時間が所定の閾値Ｈ１以下となるまでＳ３の判定を繰り返す。つまり、残放電時間が所定の閾値Ｈ１以下となるまでモード２での動作を継続する。
【００４２】
一方、判定の結果、残放電時間が所定の閾値Ｈ１以下である場合には（Ｓ３、Ｙｅｓ）、スイッチ制御部１０９は、蓄電部１０６の電池の出力電流を所定の引き下げ幅ΔＩ引き下げ（Ｓ４）、出力電流が所定の閾値Ｉ１以下であるか否かを判定する（Ｓ５）。引き下げ幅ΔＩには、例えば、０．１Ａ（アンペア）を設定する。また、所定の閾値Ｉ１は、例えば、弱照明機能部１０５が起動可能な下限電力よりもやや大きい電圧に対応する電流値を設定することできる。例えば、閾値Ｉ１には、０．２Ａを設定する。なお、Ｓ３の判定結果に応じて、出力電流をΔＩずつ引き下げるＳ４の処理は、強照明機能部１０４により点灯中のＬＥＤの数を段階的に減らしたり、点灯中のＬＥＤの照度を少しずつ低くしたりする処理である。
【００４３】
判定の結果、出力電流が所定の閾値Ｉ１以下ではない場合には（Ｓ５、Ｎｏ）、スイッチ制御部１０９は、上述したＳ３に戻り、蓄電部１０６の出力電流値を電流センサ１０７から取得し、取得した出力電流値に基づいて算出した残放電時間が所定の閾値Ｈ１以下であるか否かを判定する。スイッチ制御部１０９は、判定の結果、残放電時間が所定の閾値Ｈ１以下ではない場合には、上述したように、出力電流値を電流センサ１０７から取得し、残放電時間が所定の閾値Ｈ１以下となるまでＳ３の判定を繰り返す。そして、スイッチ制御部１０９は、判定の結果、残放電時間が所定の閾値Ｈ１以下である場合には、上述したように、出力電流をさらにΔＩ引き下げ（Ｓ４参照）、再び、出力電流が所定の閾値Ｉ１以下であるか否かを判定する（Ｓ５参照）。つまり、スイッチ制御部１０９は、残放電時間が所定の閾値Ｈ１以下となり、かつ出力電流が閾値Ｉ１以下となるまで、モード２での稼動を継続する。
【００４４】
一方、判定の結果、出力電流が所定の閾値Ｉ１以下となった場合には（Ｓ５、Ｙｅｓ）、スイッチ制御部１０９は、電圧センサ１０８から出力電圧値を取得し、その出力電流での出力電圧値が所定の閾値以下であるか否かを判定する（Ｓ６）。例えば、Ｓ６での閾値は、弱照明機能部１０５が起動可能である２．５ｖとする。
【００４５】
判定の結果、出力電圧値が所定の閾値以下ではない場合には（Ｓ６、Ｎｏ）、スイッチ制御部１０９は、出力電流をΔＩ引き下げ（Ｓ７）、再び、上述したＳ６に戻り、出力電圧値が所定の閾値以下であるか否かを判定する（Ｓ６参照）。なお、Ｓ６の判定結果に応じて、出力電流をΔＩずつ引き下げるＳ７の処理は、弱照明機能部１０４により点灯中のＬＥＤの数を段階的に減らしたり、点灯中のＬＥＤの照度を少しずつ低くしたりする処理である。このようにして、照明としての機能を維持しつつ、蓄電部１０６の電力をギリギリまで使用する。
【００４６】
一方、判定の結果、スイッチ制御部１０９は、出力電圧値が所定の閾値以下となった場合には（Ｓ６、Ｙｅｓ）、蓄電部１０６の電池の容量をリセットし（電池の電力の残容量を０とみなし）、処理を終了する。すなわち、スイッチ制御部１０９は、一定電流負荷でで、電圧値が一定以下となった場合には、電池の残容量を０と判断するためのリセットを実行する。
【００４７】
［実施例１による効果］
上述してきたように、携帯端末装置１００のスイッチ制御部１０９は、電流センサ１０７により測定された電池の電流値または電圧センサ１０８により測定された電池の電圧値に基づいて、電力の供給先を切り替える電力変換スイッチの切り替えを制御する。このようなことから、実施例１によれば、蓄電池の電力を有効活用できる。
【００４８】
また、携帯端末装置１００のスイッチ制御部１０９は、電力センサ１０８から取得した電池の電圧値が所定の閾値以下となった場合には、電力の供給先を端末独自付加機能部１０２および通信機能部１０３から強照明機能部１０４に切り替える。このようかことから、実施例１によれば、ユーザーの意思により選択される消費電力の大きいアプリケーションや通信よりも、照明機能など、ライフラインとして必須の機能を蓄電池の電力の使用先として優先できる。
【００４９】
また、携帯端末装置１００のスイッチ制御部１０９は、電流センサ１０７により測定された電池の電流値に基づいて電池の残放電時間を算出し、残放電時間が所定の閾値以下となった場合には、電力の供給先を弱照明機能部１０５のみに切り替える。このようなことから、実施例１によれば、節電しつつ、ライフラインとして必須の機能を所望の時間まで保つことができる。
【００５０】
なお、電池はそれまでの使われ方によって劣化し、蓄電可能な容量が変化してしまうことも考えられる。このため、ロガー等が内蔵されている電源システムでも、その電池容量を正確に把握することは難しい。また、電流値と電圧値との積に対して温度係数を乗算することにより、電池に蓄積されている電力の残容量を算出する方法もあるが、必ずしも電池の状態を正確に把握することができない。これに対して、実施例１に係る携帯電話端末１００では、電池の電力の電流値や電圧値に応じて段階的に負荷を減少させ、電池の容量をギリギリまで使用した後に、電池の容量をリセットするので、ライフラインとしての照明機能を維持しながら、後の充電により電池活物質の可逆反応を電池使用可能範囲限まで進めることができる結果、メモリー効果も防止できる。
【００５１】
なお、上述した実施例１では、電圧値に基づいて、モード１からモード２への切り替えを実施する場合を説明したが、これに限定されるものではなく、電流値または電流値および電圧値の双方に基づいてモードの切り替えを行うようにしてもよい。
【実施例２】
【００５２】
以下、本発明にかかる電源システムおよび携帯端末装置の他の実施形態を説明する。
【００５３】
（１）装置構成等
図１に示した携帯端末装置１００の各構成要素は機能概念的なものであり、必ずしも物理的に図示の如く構成されていることを要しない。すなわち、携帯端末装置１００の分散または統合の具体的形態は図１に示すものに限られない。例えば、スイッチ制御部１０９と電力変換スイッチ１１０とが、物理的または機能的に統合されていてもよい。このように、ネットワーク品質監視システムの各構成要素の全部または一部を、各種の負荷や使用状況などに応じて、任意の単位で機能的または物理的に分散・統合して構成することができる。
【００５４】
（２）ハードウェア構成
図６に、実施例１に係る携帯端末装置１００のハードウェア構成の一例を示す。図６は、実施例１に係る携帯端末装置のハードウェア構成の一例を示す図である。図６に示すように、携帯端末装置２００は、アンテナ２０１と、無線通信部２１０と、表示部２２０と、音声入出力部２３０と、マイク２０２と、スピーカ２０３と、入力部２４０と、蓄電部２５０と、記憶部２６０と、プロセッサ２７０とを有する。
【００５５】
無線通信部２１０、表示部２２０、音声入出力部２３０、入力部２４０、蓄電部２５０、記憶部２６０は、プロセッサ２７０と接続される。また、アンテナ２０１は、無線通信部２１０と接続される。また、マイク２０２及びスピーカ２０３は、音声入出力部２３０と接続される。
【００５６】
無線通信部２１０は、例えば、図１に示した通信機能部１０３に対応する。また、表示部２２０は、例えば、図１に示した表示部１０１、強照明機能部１０４および弱照明機能１０５に対応する。
【００５７】
記憶部２６０及びプロセッサ２７０は、図１に示したスイッチ制御部１０９により実現される機能を実現する。具体的には、記憶部２６０のプログラム記憶部２６１は、図１に図１に示したスイッチ制御部１０９により実行される処理を実現する各種プログラムを記憶しており、プロセッサ２７０がこれらのプログラムを読み出して実行することで、上述のスイッチ制御部１０９により実行される処理を実現するプロセスを生成する。また、データ記憶部２６２は、スイッチ制御部１０９により実行される処理で用いる各種データを保持する。また、ＲＡＭ（Random  Access  Memory）２６３は、例えば、図１に示した電流センサ１０７により測定される電流値や電圧センサ１０８により測定される電圧値等を記憶する。
【符号の説明】
【００５８】
１００  携帯端末装置
１０１  表示部
１０２  端末独自付加機能部
１０３  通信機能部
１０４  強照明機能部
１０５  弱照明機能部
１０６  蓄電部
１０７  電流センサ
１０８  電圧センサ
１０９  スイッチ制御部
１１０  電力変換スイッチ
２００  携帯端末装置
２０１  アンテナ
２０２  マイク
２０３  スピーカ
２１０  無線通信部
２２０  表示部
２３０  音声入出力部
２４０  入力部
２５０  蓄電部
２６０  記憶部
２７０  プロセッサ
【図１】
2013121228.tif 000003
【図２】
2013121228.tif 000004
【図３】
2013121228.tif 000005
【図４】
2013121228.tif 000006
【図５】
2013121228.tif 000007
【図６】
2013121228.tif 000008